(57)【要約】【課題】パターン制御やグループ制御などの関係データの設定作業に要する作業時間を短縮する。【解決手段】設定端末器５の中央処理装置２０は、ＲＡＭ２２に関係データがダウンロードされていない場合、未使用のパターン番号やグループ番号のみを通知するように伝送制御装置１に対して要求する。伝送制御装置１では、当該要求に応答して未使用のパターン番号やグループ番号のみを設定端末器５に通知する。従って、全ての関係データをダウンロードする場合と比較して非常に短い時間で未使用のパターン番号やグループ番号の情報を中央処理装置２０で取得することができ、その結果、パターン設定やグループ設定の設定作業に要する作業時間を大幅に短縮することができる。【選択図】        図１
2010010785.tif 000002
【特許請求の範囲】
【請求項１】
１乃至複数のスイッチを備え各スイッチごとに固有のアドレスが設定される操作端末器と、１乃至複数の負荷が接続され各負荷ごとに固有のアドレスが設定される制御端末器と、操作端末器および制御端末器を分岐接続した信号線に接続され何れかのスイッチが操作されたときに操作端末器から受け取る監視データに基づいて何れかの負荷を制御する制御データを生成するとともに操作されたスイッチとの対応関係が設定されている負荷を接続した制御端末器に対して制御データを伝送する伝送制御装置と、信号線に接続され伝送制御装置に対して前記対応関係を示す関係データを設定させる設定端末器とを備えた遠隔監視制御システムであって、
前記関係データは、１つのスイッチの操作によって複数の負荷が各負荷毎に予め設定された制御状態に制御されるパターン制御に対応したパターンアドレス若しくは１つのスイッチの操作によって複数の負荷が全て同じ制御状態に制御されるグループ制御に対応したグループアドレスの少なくとも何れか一方を含み、
設定端末器は、操作入力を受け付ける操作入力受付手段と、伝送制御装置との間で信号線を介したデータ伝送を行う伝送手段と、操作入力受付手段で受け付ける操作入力に応じて前記関係データを生成するとともに生成した関係データを伝送手段より伝送制御装置へ伝送させる関係データ生成手段と、関係データとして伝送制御装置に設定されていない未使用のパターンアドレス又はグループアドレスを問い合わせるための操作入力が操作入力受付手段で受け付けられたときに伝送制御装置に対して未使用のパターンアドレス又はグループアドレスの通知を要求する要求データを生成し当該要求データを伝送手段より伝送制御装置へ伝送させる要求データ生成手段とを具備し、
伝送制御装置は、設定端末器から前記要求データを受け取ったときに関係データとして設定されていない未使用のパターンアドレス又はグループアドレスを通知するためのアドレス通知データを設定端末器へ伝送することを特徴とする遠隔監視制御システム。
【請求項２】
操作端末器のスイッチ並びに制御端末器の負荷に設定されるアドレスは、予め用意されている複数通りのアドレス群のうちから選択して設定されるものであって、
伝送制御装置は、信号線を介して接続されている全ての操作端末器並びに制御端末器に設定されたアドレスを記憶しており、
設定端末器の要求データ生成手段は、前記アドレス群のうちで何れの操作端末器及び制御端末器にも設定されていない未使用のアドレスを問い合わせるための操作入力が操作入力受付手段で受け付けられたときに伝送制御装置に対して未使用の前記アドレスの通知を要求する要求データを生成し当該要求データを伝送手段より伝送制御装置へ伝送させ、
伝送制御装置は、設定端末器から前記要求データを受け取ったときに前記アドレス群のうちで何れの操作端末器及び制御端末器にも設定されていない未使用のアドレスを通知するためのアドレス通知データを設定端末器へ伝送することを特徴とする請求項１記載の遠隔監視制御システム。
【発明の詳細な説明】
【技術分野】
【０００１】
本発明は、負荷の動作を遠隔から制御及び監視する遠隔監視制御システムに関するものである。
【背景技術】
【０００２】
従来より、負荷制御用として、図５に示すような構成の遠隔監視制御システムが提供されている（例えば、特許文献１参照）。この遠隔監視制御システムでは、伝送制御装置１に接続された２線式の信号線Ｌｓに複数台ずつの操作端末器２および制御端末器３が分岐接続（マルチドロップ接続）されている。各操作端末器２および各制御端末器３には、それぞれ固有のアドレスが設定され、伝送制御装置１はそれらのアドレスを用いて操作端末器２および制御端末器３を個別に認識する。操作端末器２はスイッチＳを備え、制御端末器３には負荷Ｌが接続される。また、操作端末器２には負荷Ｌの動作状態を確認するための表示素子（発光ダイオード）よりなる確認灯２ａ，２ｂが設けられている。負荷Ｌはとくに制限されないが、照明負荷を用いることが多い。
【０００３】
伝送制御装置１は信号線Ｌｓに対して、図６（ａ）に示すフォーマットの伝送信号Ｖｓを送出する。すなわち、信号送出開始を示す同期信号ＳＹ、伝送信号Ｖｓのモードを示すモードデータＭＤ、操作端末器２や制御端末器３を各別に呼び出すためのアドレスデータＡＤ、負荷Ｌを制御する制御データＣＤ、伝送誤りを検出するためのチェックサムデータＣＳ、操作端末器２や制御端末器３からの返送信号（監視データ）を受信するタイムスロットである信号返送期間ＷＴよりなる双極性（±２４Ｖ）の時分割多重信号であり、パルス幅変調によってデータが伝送されるようになっている（図６（ｂ））。各操作端末器２および各制御端末器３では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【０００４】
伝送制御装置１から所望の操作端末器２や制御端末器３にデータを伝送する場合には、モードデータＭＤを制御モードとし、操作端末器２または制御端末器３のアドレスをアドレスデータＡＤとする伝送信号Ｖｓを送出し、この伝送信号Ｖｓを信号線Ｌｓに送出すれば、アドレスデータＡＤに一致する操作端末器２または制御端末器３が制御データＣＤを受け取り、信号返送期間ＷＴに監視データを返送する。伝送制御装置１では送出した制御データＣＤと信号返送期間ＷＴに受信した監視データとの関係によって制御データＣＤが所望の操作端末器２または制御端末器３に伝送されたことを確認する。制御端末器３は受け取った制御データＣＤに従って負荷Ｌを制御するための負荷制御信号を出力し、操作端末器２では受け取った制御データＣＤに従って負荷Ｌの動作確認表示を行なうための監視信号を出力する。
【０００５】
一方、伝送制御装置１は常時はモードデータＭＤをダミーモードとした伝送信号Ｖｓを一定時間間隔で送出しており、操作端末器２が伝送制御装置１に対して何らかの情報を伝送しようとするときには、ダミーモードの伝送信号Ｖｓの同期信号ＳＹに同期させて図６（ｃ）のような割込信号を発生させる。このとき、操作端末器２は割込フラグを設定して伝送制御装置１との以後の情報授受に備える。伝送制御装置１では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器２では、割込ポーリングモードの伝送信号のアドレスデータＡＤの上位４ビットが操作端末器２に設定されているアドレスの上位４ビットに一致するときに、信号返送期間ＷＴにアドレスの下位の半数のビットを伝送制御装置１に返送する。このように、伝送制御装置１は割込信号を発生した操作端末器２を１６個ずつまとめて探すので、比較的短い時間で操作端末器２を発見することができる。
【０００６】
伝送制御装置１が割込信号を発生した操作端末器２のアドレスを獲得すると、モードデータＭＤを監視モードとし、獲得したアドレスデータＡＤを持つ伝送信号を信号線Ｌｓに送出するのであって、この伝送信号に対して操作端末器２は伝送しようとする情報を信号返送期間ＷＴに返送するのである。最後に、伝送制御装置１は割込信号を発生した操作端末器２に対して割込リセットを指示する信号を送出し、操作端末器２の割込フラグを解除する。以上のようにして、操作端末器２から伝送制御装置１への情報伝送は、伝送制御装置１から操作端末器２への４回の信号伝送（ダミーモード、割込ポーリングモード、監視モード、割込リセット）によって完了する。伝送制御装置１が所望の制御端末器３の動作状態を知ろうとするときには、モードデータＭＤを監視データとした伝送信号を送出するだけでよい。
【０００７】
上述の動作を簡単にまとめる。まず、操作端末器２に対してスイッチＳによる入力データが発生すると、入力データに対応した監視データを伝送制御装置１に返送し、伝送制御装置１が制御端末器３に制御データＣＤを伝送すると、制御端末器３は負荷制御信号を出力して負荷Ｌを制御する。ここで、制御端末器３には負荷監視入力が与えられ、負荷監視入力に対応する監視データを伝送制御装置１に返送し、返送された監視データを操作端末器２に伝送する。この伝送信号によって操作端末器２では監視信号を出力する。監視出力は通常は確認灯の点灯・消灯に用いられる。また、操作端末器２は最大４回路のスイッチＳを備え、制御端末器３は最大４回路の負荷Ｌが制御可能であって、操作端末器２および制御端末器３には各スイッチＳや負荷Ｌを個別に認識するために２ビットの負荷番号が付加されている。以下では、上述した操作端末器２ないし制御端末器３のアドレスをチャンネルと呼び、チャンネルと負荷番号とをまとめてアドレスと呼ぶことにする。つまり、各スイッチＳや各負荷Ｌに個別のアドレスが付与されていることになる。
【０００８】
ところで、この種の遠隔監視制御システムでは、スイッチＳと負荷Ｌとのアドレスの対応関係を伝送制御装置１で管理しているから、伝送制御装置１において１回路のスイッチＳのアドレスに対して複数回路の負荷Ｌのアドレスを対応付けておけば、１回路のスイッチＳで複数回路の負荷Ｌを一括して制御することが可能である。このような一括制御にはグループ制御とパターン制御とがある。グループ制御では複数の負荷を同じ制御状態に制御し、パターン制御では複数の負荷をあらかじめ設定した制御状態に制御する。グループ制御やパターン制御を行なう一括制御用操作端末器４のスイッチＳｐには一括制御用として定められているアドレスが対応付けられるが、他の構成は他の操作端末器と同様のものである。
【０００９】
上述のように、一括制御（パターン制御又はグループ制御）を行なうためには伝送制御装置１において一括制御用操作端末器４のスイッチＳｐのアドレスに複数回路の負荷Ｌのアドレスを対応付けて登録しておく必要があり、この種の設定操作をパターン設定及びグループ設定と称している。なお、以下では、パターン制御用操作端末器４に設けたスイッチＳｐをパターンスイッチと呼び、グループ制御用操作端末器（図示せず）に設けたスイッチをグループスイッチと呼び、操作端末器２に設けたスイッチＳを個別スイッチと呼ぶ。
【００１０】
上述のようなパターン設定及びグループ設定は、例えば、専用の端末器（設定端末器）５によって設定される。この設定端末器５は、各負荷Ｌに対応するアドレスを選択するキーと、選択されたアドレスに応じて画面を切り換えて表示する表示器と、選択された負荷を記憶する記憶手段とが可搬な器体に設けられてなり、信号線Ｌｓに対して着脱可能に接続され、キーを操作して設定されるパターン制御やグループ制御のための関係データを信号線Ｌｓを介して伝送制御装置１に伝送して設定させるものである。
【００１１】
ここで、上記従来例においては、個別制御、パターン制御、グループ制御、調光制御の４通りの制御が選択可能であって、操作端末器２，４並びに制御端末器３に設定される固有のアドレスには各端末器２，４、３が何れの制御用のものであるかを識別する符号が含まれている。さらに、個別制御用のアドレスには０ｃｈ〜６３ｃｈの６４通りのチャンネルと４つの負荷番号（１，２，３，４）の組み合わせからなる２５６通りのアドレス（個別アドレス）、パターン制御用には１〜７２までのパターン番号からなる７２通りのアドレス（パターンアドレス）、グループ制御用には１〜１２７までのグループ番号からなる１２７通りのアドレス（グループアドレス）、調光制御用には０ｃｈ〜１５ｃｈの１６通りのアドレス（調光アドレス）がそれぞれ設定可能であって、例えば、個別制御においては対応する操作端末器２と制御端末器３とに同一の個別アドレスを設定し、パターン制御やグループ制御においては対応する一括制御用操作端末器４と制御端末器３とに同一のパターンアドレス若しくはグループアドレスを関係データとして設定することで個別制御、パターン制御、グループ制御が可能となる。
【００１２】
ところで、設定端末器５を用いてパターン設定やグループ設定を追加で行う場合、既に設定されている（使用されている）ものを除く未設定（未使用）のパターンアドレスやグループアドレスを知る必要がある。このために特許文献１に記載された従来例では、予め伝送制御装置１から設定端末器５へ全ての関係データをダウンロードして設定端末器５のメモリに格納しておき、設定端末器５において未使用のパターンアドレスやグループアドレスを検索できるようにしている。
【特許文献１】特開平１１−２９８９７８号公報
【発明の開示】
【発明が解決しようとする課題】
【００１３】
しかしながら、上記従来例においては伝送制御装置１が保持している全ての関係データが予め設定端末器５にダウンロードされていない場合、未使用のパターンアドレス若しくはグループアドレスを検索するための前段階として、伝送制御装置１から全ての関係データをダウンロードしなければならない。例えば、未使用のパターンアドレスのみを検索したい場合であっても、個別アドレスやグループアドレスを含む全ての関係データのダウンロードが必要であり、しかも、全ての関係データを伝送制御装置１からダウンロードするのに数十分から１時間程度の時間を要することから設定作業に多大な時間を要してしまうという問題がある。
【００１４】
本発明は上記事情に鑑みて為されたものであり、その目的は、パターン制御やグループ制御などの関係データの設定作業に要する作業時間を短縮することができる遠隔監視制御システムを提供することにある。
【課題を解決するための手段】
【００１５】
請求項１の発明は、上記目的を達成するために、１乃至複数のスイッチを備え各スイッチごとに固有のアドレスが設定される操作端末器と、１乃至複数の負荷が接続され各負荷ごとに固有のアドレスが設定される制御端末器と、操作端末器および制御端末器を分岐接続した信号線に接続され何れかのスイッチが操作されたときに操作端末器から受け取る監視データに基づいて何れかの負荷を制御する制御データを生成するとともに操作されたスイッチとの対応関係が設定されている負荷を接続した制御端末器に対して制御データを伝送する伝送制御装置と、信号線に接続され伝送制御装置に対して前記対応関係を示す関係データを設定させる設定端末器とを備えた遠隔監視制御システムであって、前記関係データは、１つのスイッチの操作によって複数の負荷が各負荷毎に予め設定された制御状態に制御されるパターン制御に対応したパターンアドレス若しくは１つのスイッチの操作によって複数の負荷が全て同じ制御状態に制御されるグループ制御に対応したグループアドレスの少なくとも何れか一方を含み、設定端末器は、操作入力を受け付ける操作入力受付手段と、伝送制御装置との間で信号線を介したデータ伝送を行う伝送手段と、操作入力受付手段で受け付ける操作入力に応じて前記関係データを生成するとともに生成した関係データを伝送手段より伝送制御装置へ伝送させる関係データ生成手段と、関係データとして伝送制御装置に設定されていない未使用のパターンアドレス又はグループアドレスを問い合わせるための操作入力が操作入力受付手段で受け付けられたときに伝送制御装置に対して未使用のパターンアドレス又はグループアドレスの通知を要求する要求データを生成し当該要求データを伝送手段より伝送制御装置へ伝送させる要求データ生成手段とを具備し、伝送制御装置は、設定端末器から前記要求データを受け取ったときに関係データとして設定されていない未使用のパターンアドレス又はグループアドレスを通知するためのアドレス通知データを設定端末器へ伝送することを特徴とする。
【００１６】
請求項１の発明によれば、従来例のように伝送制御装置から設定端末器へ全ての関係データをダウンロードする必要がなく、伝送制御装置から通知される情報に基づいて未使用のパターンアドレス又はグループアドレスを直ちに知ることができ、その結果、パターン制御やグループ制御などの関係データの設定作業に要する作業時間を短縮することができる。
【００１７】
請求項２の発明は、請求項１の発明において、操作端末器のスイッチ並びに制御端末器の負荷に設定されるアドレスは、予め用意されている複数通りのアドレス群のうちから選択して設定されるものであって、伝送制御装置は、信号線を介して接続されている全ての操作端末器並びに制御端末器に設定されたアドレスを記憶しており、設定端末器の要求データ生成手段は、前記アドレス群のうちで何れの操作端末器及び制御端末器にも設定されていない未使用のアドレスを問い合わせるための操作入力が操作入力受付手段で受け付けられたときに伝送制御装置に対して未使用の前記アドレスの通知を要求する要求データを生成し当該要求データを伝送手段より伝送制御装置へ伝送させ、伝送制御装置は、設定端末器から前記要求データを受け取ったときに前記アドレス群のうちで何れの操作端末器及び制御端末器にも設定されていない未使用のアドレスを通知するためのアドレス通知データを設定端末器へ伝送することを特徴とする。
【００１８】
請求項２の発明によれば、個別制御の為のアドレスの設定作業についても作業時間を短縮することができる。
【発明の効果】
【００１９】
本発明によれば、パターン制御やグループ制御などの関係データの設定作業に要する作業時間を短縮することができる。
【発明を実施するための最良の形態】
【００２０】
以下、図面を参照して本発明の実施形態を詳細に説明する。但し、本実施形態における伝送制御装置１，操作端末器２，４、制御端末器３、設定端末器５の基本構成は従来例と共通であるから、共通の構成要素には同一の符号を付して適宜図示並びに説明を省略する。
【００２１】
図４は本実施形態における設定端末器５の外観図を示している。この設定端末器５は、片手で持つことができる程度の大きさに形成された扁平なケース１１を備え、ケース１１の前面上部には液晶表示器よりなる表示部１２が設けられ、ケース１１の前面下部には各種操作の操作入力を受け付けるための操作部１３が設けられている。また、ケース１１の上面には後述する赤外線ワイヤレス信号を透過させる窓部１４と、信号線Ｌｓへの接続端子（図示せず）が設けられている。表示部１２や操作部１３の具体的な構成および機能は後述する。
【００２２】
一方、設定端末器５のケース１１には、図３に示すように、マイクロコンピュータ（以下、マイコンと略称する）を主構成とする中央処理装置２０が収納され、中央処理装置２０はＲＯＭ２１に格納されたシステムプログラムにより動作するとともに、記憶手段としてのＲＡＭ（ＥＥＰＲＯＭのような不揮発性メモリを用いてもよい）２２を作業領域として後述する各種作業が行なえるようになっている。また、中央処理装置２０は、信号送受信回路２３を介して接続端子に接続されており、信号送受信回路２３は遠隔監視制御システムの信号線Ｌｓを介して設定端末器５と伝送制御装置１との間でデータを送受可能とするものである。設定端末器５を信号線Ｌｓに接続する際には、ジャック型の接続端子に着脱自在に結合されるコネクタを一端部に備える接続線（図示せず）を用い、接続線の他端を信号線Ｌｓに電気的に接続すればよい。
【００２３】
さらに、中央処理装置２０には液晶ドライバ２４を介して表示部１２としての液晶表示器２５が接続され、さらに、液晶表示器２５の背面側には発光ダイオードを光源として用いたバックライト２６が配置される。操作部１３は押操作の復帰力としてゴムの弾性を利用したいわゆるラバースイッチを複数用いて構成される。また、赤外線ワイヤレス信号を投受光するワイヤレス信号送受信回路２７も中央処理装置２０に接続されている。この設定端末器５の電源には基本的には電池が用いられるが、信号線Ｌｓに接続しているときには信号線Ｌｓを伝送されている伝送信号を整流し安定化することによって電源を得ることも可能になっている。電源供給の機能は電源回路２８により実現される。なお、外部記憶装置（たとえばＩＣカード）やプリンタのような周辺機器を接続するために周辺装置接続用のドライバ２９ａおよび周辺機器との間で授受されるデータを一時的に保持するデータラッチ２９ｂが設けられている。
【００２４】
ところで、上述した表示部１２は、図１に示すように、中央部に液晶表示器２５の画面が配置され、液晶表示器２５の画面の上辺に沿って「制御種別」「アドレスＮｏ．」「ON/OFF」「タイマー」「調光」の文字が左から順に表記され、左辺に沿って「モード」「アドレス設定」「Ｐ・Ｇ設定」「初期」「特別」「確認」の文字が上から順に表記され、下辺に沿って「スイッチ」「入力Ｔ／Ｕ」「リレーＴ／Ｕ」「調光Ｔ／Ｕ」「残量表示」の文字が左から順に表記されている。また、液晶表示器２５において左辺および下辺に沿って表記された文字のうち「モード」および「確認」を除いて各文字に対応する部位には、それぞれマーカＭが設けられ、マーカＭを反転表示（他の部分と表示色が異なることを意味する）することによってどの内容が選択されているかを示すようになっている。液晶表示器２５はドットマトリクス型の表示器であって、任意の文字ないし図形を表示できるものを用いている。
【００２５】
ところで、操作部１３には押操作される多数のキーＫ11〜Ｋ18、Ｋ21〜Ｋ24、Ｋ31〜Ｋ34が設けられている。これらのキーは基本的には4種類に分けて配置される。但し、電源のオンオフを切り換えるためのスライドスイッチＳＷ１と、バックライト２６のオンオフを切り換えるための押釦スイッチＳＷ２とはケース１１の側面に設けられている（図４（ｂ）参照）。設定器３４の動作モードにはアドレス設定モード、パターン・グループ設定モード、初期設定モード、特別モードの４つのモードがあり、これらのモードはキーＫ21〜Ｋ24の押操作により選択される。キーＫ21はアドレス設定モード、キーＫ22はパターン・グループ設定モード、キーＫ23は初期設定モード、キーＫ24は特別モードに対応する。つまり、キーＫ21〜Ｋ24は選択的に押操作される。
【００２６】
キーＫ21を操作してアドレス設定モードを選択すると、赤外線ワイヤレス信号により各端末器のデータ記憶部にアドレスや機能データを設定することができるようになる。アドレス設定モードが選択されると、「アドレス設定」の文字に対応するマーカＭが反転表示される。また、従来例で説明したように１台の端末器には４個の負荷番号があるから、液晶表示器２５の１画面には上下４行になった４アドレス分の設定欄が表示される。また、設定欄は左右５列であって、４行５列の桝目を有する。各桝目の内容を変更するには、所望の桝目が反転表示された状態とすればよく、桝目を反転表示させるにはカーソルキーＫ14を用いる。
【００２７】
カーソルキーＫ14は上下左右の４個の矢印キーを備え、矢印キーを押操作すればその矢印キーの向きに反転表示の位置が移動する。また、アドレス種別（１列目の桝目）が個別であるときには、アドレスＮｏ．（２列目の桝目）はチャンネル番号と負荷番号とをハイフンで結合した形で表示され、チャンネル番号と負荷番号とが各別に反転表示される。つまり、カーソルキ−Ｋ14により反転表示の位置を移動させる際にチャンネル番号と負荷番号とは別々に反転表示になる。
【００２８】
アドレス種別は１列目の桝目が反転表示されている状態でキーＫ21〜Ｋ24を押操作することにより、グループスイッチ、パターンスイッチ、個別スイッチ、調光スイッチの中から端末器種別を選択することができる。なお、１列目が反転表示されているときには、ページキーＫ15の操作によっても端末器種別を変更することができる。ページキーＫ15は上下２個設けられており、上下のキーを操作すると端末器種別が順次表示される。
【００２９】
２列目の桝目内が反転表示されている状態ではページキーＫ15を押操作することにより２列目の桝目内に表示されている数値を変更することができる。たとえば、チャンネル番号が反転表示されているときには上下のページキーＫ15によりチャンネル番号を増減させ、負荷番号が反転表示されているときには負荷番号を増減させることができる。また、パターン種別がパターン（Ｐ）あるいはグループ（Ｇ）のときにはアドレスＮｏ．が反転表示されている状態で、ページキーＫ15によってパターン番号（パターンアドレス）やグループ番号（グループアドレス）を変更することができる。さらに、アドレスＮｏ．の桝目が反転表示されているときにアドレスクリアキーＫ12を押操作すれば、アドレスを消去することができる。
【００３０】
３列目の桝目が反転表示されている状態では、負荷をオンにするかオフにするかをページキーＫ15で選択することになるが、このような操作はパターン設定やグループ設定のときのみ有効になる。また、４列目の桝目が反転表示されているときには、ページキーＫ15により一時オン、遅れオフの指定ができ、合わせてその時間も選択される。つまり、一時オンでは３０秒、１分、５分、６０分、１２０分の選択が可能であり、遅れオフでは３０秒、１分、５分の選択が可能になっている。具体的には、一時オン３０秒、一時オン１分……というように、動作の種別と時間との組み合わせがページキーＫ15により順次選択される。５列目の桝目が反転表示のときにはページキーＫ15により調光レベルが選択される。この桝目はパターン種別が調光であるときに有効になるのであって、この設定がなされている操作端末器の操作部を操作してその操作部に対応付けられた照明負荷をオンにすれば、照明負荷を指定した調光レベルで点灯させることができる。なお、実行キーＫ16を用いて１つの桝目の設定内容を確定でき、キャンセルキーＫ17を用いて１つの桝目の設定内容を消去することができる。
【００３１】
上述のような操作によって１画面のアドレス設定が終了した後に、アドレスや機能データを設定する対象となる端末器との間でのみ赤外線ワイヤレス信号の授受が可能となるように、設定端末器５を端末器に近づけてキーＫ13を押操作すれば、ワイヤレス信号を端末器に伝送して画面上の設定内容を端末器のメモリに格納することができる。別の端末器の内容を設定する際には、上述の操作を繰り返すことも可能であるが、順送キーＫ18を押操作すれば、アドレス（チャンネル番号）のみを順送りにして（１つ増加させて）同じ設定内容を液晶表示器２５の画面に表示させることができる。
【００３２】
ところで、アドレス設定モードにおいて、設定端末器５を端末器に近づけた状態で確認キーＫ11を押操作すれば、その端末器におけるメモリの設定内容が読み出されて液晶表示器２５の画面に表示される。したがって、既設の遠隔監視制御システムの場合には、確認キーＫ11によりメモリの内容を確認した後に、アドレスや機能データを設定すればよい。このような操作によって、すでに設定されている内容を利用することも可能になる。
【００３３】
上述のようにして各端末器にアドレスおよび機能データが設定された後には、パターン設定やグループ設定が可能になる。つまり、キーＫ22によりパターン設定モードが選択されると、「パターン設定」の文字に対応するマーカＭが反転表示になる。この状態ではキーＫ31またはキーＫ32の押操作によりグループ設定かパターン設定かの別を選択することができる。あるいはまた、１行１列の桝目が反転表示されている状態でページキーＫ15を操作してもグループ設定かパターン設定かの別を選択することができる。さらに、グループ設定かパターン設定かの別を実行キーＫ16により確定した後にページキーＫ15を操作すればグループ番号やパターン番号を指定することができる。尚、パターン設定及びグループ設定の詳細な設定作業については従来例と共通であるから説明を省略する。
【００３４】
キーＫ23を操作したときには、設定端末器５の各種機能を設定する初期設定モードになり、マーカＭが「初期」の文字に対応する位置で反転表示される。初期設定モードが選択されると、操作部１３の操作に伴ってブザーを鳴動させるか否か（発信音）、液晶表示器２５の画面のコントラスト、伝送制御装置１の種別、初期特別設定の設定が可能になる。
【００３５】
キーＫ24を操作して特別モードを選択すると、「特別」の文字の位置でマーカＭが反転表示される。特別モードでは、図１（ａ）に示す画面が表示され、伝送制御装置（図示例では「伝送ユニット」と表示されている）、チェック、編集、設定状態の４モードをページキーＫ15の操作によって選択した後に実行キーＫ16を操作することにより、各モードが選択される。
【００３６】
伝送ユニットは、伝送制御装置１に対する関係データの入力（読み出し＜ダウンロード＞）、出力（書き込み＜アップロード＞）、照合かを選択するモードであって、ページキーＫ15による選択後に実行キーＫ16を操作すれば何れかの状態が選択される。「入力」が選択された状態で実行キーＫ16を押操作すれば、すべての関係データが転送される。尚、伝送制御装置１から転送された関係データは設定端末器５のＲＡＭ２２に格納される。また「出力」が選択された状態で実行キーＫ16を押操作すれば、既に設定済みである関係データがＲＡＭ２２から読み出されて伝送制御装置１へ転送される。さらに「照合」が選択された状態で実行キーＫ16を押操作すれば、ＲＡＭ２２に格納されている関係データと伝送制御装置１が保持している関係データとが照合される。
【００３７】
チェックは、遠隔監視制御システムの動作状態を示すシステム状態表示、遠隔監視制御システムが設定された関係データを用いて実際に動作するか否かの動作確認、遠隔監視制御システムにおける未使用アドレスの表示、遠隔監視制御システムにおける各端末器のアドレスがパターン設定やグループ設定で使用されているか否か（端末登録表示という）の機能を有している。したがって、チェックを行なうには、接続線１７を介して信号線Ｌｓに接続していることが必要である。
【００３８】
システム状態表示では、各チャンネルごとに各負荷番号の負荷の現在のオンオフの状態が表示される。また、未使用チャンネルは「−」で示される。この表示のためには、伝送制御装置１が管理している負荷のオンオフに関するデータをＲＡＭ２２に読み込んで、ＲＡＭ２２の内容を監視すればよい。
【００３９】
動作確認は、設定端末器５を操作端末器に代えて用いることにより、制御端末器にアドレスが適切に設定されているか否かを確認するモードであって、動作確認モードの選択後に、カーソルキーＫ14およびページキーＫ15を用いて確認しようとするパターン番号やグループ番号を選択して表示させ、その状態で実行キーＫ16を操作すれば、その画面に表示されているパターン番号（グループ番号）ないしアドレスが伝送制御装置１の関係データと照合される。
【００４０】
未使用アドレスを表示するように選択すると、予め伝送制御装置１からダウンロードしてＲＡＭ２２に格納している関係データを参照して未使用のアドレス（個別アドレス及び調光アドレス）が検索され、検索された未使用のアドレスが３行４列の枡目に並べて表示される。
【００４１】
端末登録表示が選択されると、所望の負荷のアドレス（チャンネルと負荷番号）を入力する画面が表示され、カーソルキーＫ14によりチャンネルと負荷番号を選択した後に、実行キーＫ16を操作すれば、選択したアドレスの負荷がパターン設定ないしグループ設定で用いられているか否かを検索することができる。検索結果は、そのアドレスを用いるパターン番号およびグループ番号が画面に一覧表示される。
【００４２】
特別モードにおいて、編集が選択されると、反転、コピー、消去、範囲指定入力が選択可能になる。これらの選択も上述した例と同様にページキーＫ15により所望の項目を選択した状態で、実行キーＫ16を操作すればよい。尚、それぞれの機能については説明を省略する。
【００４３】
特別モードにおける設定状態モードでは、遠隔監視制御システムを負荷制御が行なわれる通常状態とするか、関係データを伝送制御装置１に設定する設定状態とするかを選択することができる。尚、動作状態の変更は、通常の伝送信号を用いて伝送制御装置１に指示を与えることにより実現される。
【００４４】
また、設定状態モードでは、各パターン番号ないしグループ番号で用いているアドレスの設定状態も表示することができる。つまり、液晶表示器２５の画面には各パターン番号ないしグループ番号ごとに各アドレスの設定内容が表示される。
【００４５】
さらに、設定状態モードでは、図１（ｂ）に示すように、パターン番号やグループ番号の空き状態、つまり、予め用意されているパターン番号（１〜７２）やグループ番号（１〜１２７）が液晶表示器２５の画面に８個ずつ表示され、各番号が未使用であるときには当該番号の下に○印が表示され、使用されているときには「−」が表示される。上述したように操作部１３でパターン番号やグループ番号の空き状態の確認を行う操作入力が受け付けられた場合、既に伝送制御装置１からダウンロードした関係データがＲＡＭ２２に格納されていれば、中央処理装置２０はＲＡＭ２２に格納されている関係データを検索して各パターン番号やグループ番号の使用／未使用を調べ、その結果を液晶表示器２５の画面に表示する。一方、伝送制御装置１から関係データがダウンロードされていなければ、中央処理装置２０は伝送制御装置１に対して未使用のパターン番号又はグループ番号の通知を要求する要求データを生成し、当該要求データを含む伝送信号を信号送受信回路２３より伝送制御装置１へ信号線Ｌｓを介して送信する。
【００４６】
伝送制御装置１では、設定端末器５から前記要求データを受け取ったときに、自己のメモリに保存されている関係データを参照して未使用のパターン番号又はグループ番号を抽出し、抽出された未使用のパターン番号やグループ番号を通知するためのアドレス通知データを含む伝送信号を信号線Ｌｓを介して設定端末器５へ送信する。
【００４７】
設定端末器５では、伝送制御装置１から送信された前記伝送信号を信号送受信回路２３で受信し、伝送信号に含まれるアドレス通知データが中央処理装置２０に取り込まれる。中央処理装置２０は、伝送制御装置１から受け取ったアドレス通知データから未使用のパターン番号やグループ番号を取得し、図１（ｂ）に示すように未使用の番号の下に○印を表示することでパターン番号やグループ番号の空き状態を知らせる。
【００４８】
而して、従来例では伝送制御装置１から関係データがダウンロードされていない場合、先に伝送制御装置１から全ての関係データをダウンロードしてＲＡＭ２２に格納した後、ＲＡＭ２２に格納されている関係データを検索して各パターン番号やグループ番号の使用／未使用を調べるという手順が必要であったため、伝送制御装置１から全ての関係データをダウンロードするのに要する時間（数十分から１時間程度）の分だけパターン設定やグループ設定の設定作業に要する作業時間が長くなってしまっていた。これに対して本実施形態では、上述のようにＲＡＭ２２に関係データがダウンロードされていない場合、未使用のパターン番号やグループ番号のみを通知するように伝送制御装置１に対して要求し、当該要求に応答して伝送制御装置１が未使用のパターン番号やグループ番号のみを設定端末器５に通知するようにしているので、全ての関係データをダウンロードする場合と比較して非常に短い時間で未使用のパターン番号やグループ番号の情報を中央処理装置２０で取得することができ、その結果、パターン設定やグループ設定の設定作業に要する作業時間を大幅に短縮することができる。
【００４９】
ところで、設定状態モードでは、図２に示すように、回路の空き状態、つまり、予め用意されている個別アドレス（０〜６３のチャンネルと１〜４の負荷番号の組み合わせ）が液晶表示器２５の画面に８個ずつ表示され、各個別アドレスが未使用であるときには当該個別アドレスの下に○印が表示され、使用されているときには「−」が表示されるようにもなっている。そして、上述したように操作部１３で回路の空き状態の確認を行う操作入力が受け付けられた場合、既に伝送制御装置１からダウンロードした関係データがＲＡＭ２２に格納されていれば、中央処理装置２０はＲＡＭ２２に格納されている関係データを検索して各回路の使用／未使用を調べ、その結果を液晶表示器２５の画面に表示する。一方、伝送制御装置１から関係データがダウンロードされていなければ、中央処理装置２０は伝送制御装置１に対して未使用の回路（個別アドレス）の通知を要求する要求データを生成し、当該要求データを含む伝送信号を信号送受信回路２３より伝送制御装置１へ信号線Ｌｓを介して送信する。
【００５０】
伝送制御装置１では、設定端末器５から前記要求データを受け取ったときに、自己のメモリに保存されている関係データを参照して未使用の個別アドレスを抽出し、抽出された未使用の個別アドレスを通知するためのアドレス通知データを含む伝送信号を信号線Ｌｓを介して設定端末器５へ送信する。
【００５１】
設定端末器５では、伝送制御装置１から送信された前記伝送信号を信号送受信回路２３で受信し、伝送信号に含まれるアドレス通知データが中央処理装置２０に取り込まれる。中央処理装置２０は、伝送制御装置１から受け取ったアドレス通知データから未使用の個別アドレスを取得し、図２に示すように未使用の個別アドレスの下に○印を表示することで回路の空き状態を知らせる。
【００５２】
而して、本実施形態ではバターン番号並びにグループ番号だけではなく、回路（個別アドレス）の空き状態についても従来例より短時間で知ることが可能であるから、個別制御のアドレス設定に要する作業時間を大幅に短縮することができる。
【図面の簡単な説明】
【００５３】
【図１】本発明の実施形態における設定端末器の動作説明図である。
【図２】同上における設定端末器の動作説明図である。
【図３】同上における設定端末器のブロック図である。
【図４】同上における設定端末器を示し、（ａ）は正面図、（ｂ）は右側面図である。
【図５】従来の遠隔監視制御システムの構成例を示す図である。
【図６】同上における伝送信号の説明図である。
【符号の説明】
【００５４】
１  伝送制御装置
２  操作端末器
３  制御端末器
５  設定端末器
１３  操作部（操作入力受付手段）
２０  中央処理装置（関係データ生成手段，要求データ生成手段）
２３  信号送受信回路（伝送手段）
【図１】
2010010785.tif 000003
【図２】
2010010785.tif 000004
【図３】
2010010785.tif 000005
【図４】
2010010785.tif 000006
【図５】
2010010785.tif 000007
【図６】
2010010785.tif 000008